(57)【要約】【課題】記録媒体に形成された画像の経時変化を容易に確認することができる画像形成システムを提供する。【解決手段】画像形成システム１は、画像形成装置３と、携帯端末２とを備える。画像形成装置３は、用紙Ｓに画像を形成する。画像形成装置３は、画像の経時変化を示す経時画像Ｐ１のデータを生成する制御部７を有する。携帯端末２は、撮像部２１と、操作表示部２２と、送受信部２４と、制御部２３とを有する。撮像部２１は、用紙Ｓに形成された画像を撮像して撮像画像Ｐ２のデータを生成する。操作表示部２２は、撮像画像Ｐ２を表示する。送受信部２４は、制御部７にネットワークＮを介して接続される。制御部２３は、制御部７から経時画像Ｐ１のデータを取得するように送受信部２４を制御する。制御部２３は、撮像画像Ｐ２上に経時画像Ｐ１を重ねて表示するように操作表示部２２を制御する。【選択図】図１
2018116392.tif 000002
【特許請求の範囲】
【請求項１】
記録媒体に画像を形成する画像形成装置と、
前記画像の経時変化を示す経時画像のデータを生成する処理装置と、
携帯端末と
を備え、
前記携帯端末は、
前記記録媒体に形成された前記画像を撮像して撮像画像のデータを生成する撮像部と、
前記撮像画像を表示する表示部と、
前記処理装置にネットワークを介して接続される送受信部と、
前記表示部及び前記送受信部を制御する制御部と
を有し、
前記制御部は、
前記処理装置から前記経時画像のデータを取得するように前記送受信部を制御し、
前記撮像画像上に前記経時画像を重ねて表示するように前記表示部を制御する、画像形成システム。
【請求項２】
前記画像形成装置は、前記記録媒体に特殊インクを用いて画像を形成する、請求項１に記載の画像形成システム。
【請求項３】
前記経時画像は、前記記録媒体に前記画像が形成されてから前記特殊インクの経時変化が終了するまでの時間を示す第１補助画像を含む、請求項２に記載の画像形成システム。
【請求項４】
前記経時画像は、前記記録媒体に形成された画像が撮像されてから前記特殊インクの経時変化が終了するまでの時間を示す第２補助画像を含む、請求項２又は請求項３に記載の画像形成システム。
【請求項５】
前記経時画像は、前記記録媒体に形成された画像の経時変化を示す動画である、請求項１から請求項４のいずれか１項に記載の画像形成システム。
【請求項６】
前記携帯端末は、照度、気温及び湿度のうち少なくとも１つを検出して検出情報を生成する検出部を更に有し、
前記処理装置は、前記送受信部を介して前記撮像画像のデータと前記検出情報とを取得し、前記撮像画像のデータと前記検出情報とに基づいて前記経時画像のデータを生成する、請求項１から請求項５のいずれか１項に記載の画像形成システム。
【請求項７】
前記携帯端末は、ユーザーの操作を示す操作信号を前記制御部に出力する操作部を更に有し、
前記制御部は、前記操作信号に基づいて、前記経時画像が変化するように前記表示部を制御する、請求項１から請求項６のいずれか１項に記載の画像形成システム。
【請求項８】
前記処理装置は、前記画像形成装置に内蔵されている、請求項１から請求項７のいずれか１項に記載の画像形成システム。
【請求項９】
前記画像形成装置は、前記記録媒体に前記画像を形成するとともに、前記撮像画像上に前記経時画像を重ねて表示させる際の基準となる基準点を形成し、
前記制御部は、前記撮像画像に含まれる基準点と前記経時画像に含まれる基準点とを重ねて表示するように前記表示部を制御する、請求項１から請求項８のいずれか１項に記載の画像形成システム。
【発明の詳細な説明】
【技術分野】
【０００１】
本発明は、画像形成システムに関する。
【背景技術】
【０００２】
特許文献１に記載の画像表示装置は、表示手段と、入力手段と、制御手段とを備える。表示手段は、印刷手段を用いて印刷される画像を示すプレビュー画像を表示する。制御手段は、入力手段を介して入力されるユーザーの操作に応じて、プレビュー画像が示す画像が変化するように表示手段を制御する。特許文献１に記載の画像表示装置では、ユーザーは、プレビュー画像を見て、印刷される画像を予め確認することができる。
【先行技術文献】
【特許文献】
【０００３】
【特許文献１】特開２０１２−１２６０２１号公報
【発明の概要】
【発明が解決しようとする課題】
【０００４】
しかしながら、特許文献１に記載の画像表示装置では、記録媒体に形成された画像の経時変化を確認することができない。例えば、特殊インクを用いて記録媒体に形成された画像は、時間の経過に伴って画像の一部が発色するように経時変化する。ユーザーは、記録媒体に形成された画像の経時変化を確認するために、例えば、所定の時間を費やして画像の変化を観察する必要がある。
【０００５】
本発明は、上記課題に鑑み、記録媒体に形成された画像の経時変化を容易に確認することができる画像形成システムを提供することを目的とする。
【課題を解決するための手段】
【０００６】
本発明の画像形成システムは、画像形成装置と、処理装置と、携帯端末とを備える。前記画像形成装置は、記録媒体に画像を形成する。前記処理装置は、前記画像の経時変化を示す経時画像のデータを生成する。前記携帯端末は、撮像部と、表示部と、送受信部と、制御部とを有する。前記撮像部は、前記記録媒体に形成された前記画像を撮像して撮像画像のデータを生成する。前記表示部は、前記撮像画像を表示する。前記送受信部は、前記処理装置にネットワークを介して接続される。前記制御部は、前記表示部及び前記送受信部を制御する。前記制御部は、前記処理装置から前記経時画像のデータを取得するように前記送受信部を制御する。前記制御部は、前記撮像画像上に前記経時画像を重ねて表示するように前記表示部を制御する。
【発明の効果】
【０００７】
本発明によれば、記録媒体に形成された画像の経時変化を容易に確認することができる。
【図面の簡単な説明】
【０００８】
【図１】本発明の実施形態に係る画像形成システムを示すブロック図である。
【図２】本発明の実施形態に係る画像形成装置の構成を示す図である。
【図３】（ａ）から（ｄ）は、操作表示部に表示される表示画像の一例を示す図である。
【図４】本発明の実施形態に係る経時画像の表示処理を示すフローチャートである。
【図５】本発明の実施形態に係る経時データの生成処理を示すフローチャートである。
【発明を実施するための形態】
【０００９】
以下、図面を参照して、本発明の実施形態に係る画像形成システム１について説明する。なお、図中、同一又は相当部分については同一の参照符号を付して説明を繰り返さない。また、図面は、理解しやすくするために、それぞれの構成要素を主体に模式的に示している。
【００１０】
図１を参照して、本発明の実施形態に係る画像形成システム１について説明する。図１は、本発明の実施形態に係る画像形成システム１を示すブロック図である。
【００１１】
画像形成システム１は、携帯端末２と、画像形成装置３とを備える。携帯端末２と画像形成装置３とは、ネットワークＮを介して接続される。ネットワークＮは、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、又はインターネットである。
【００１２】
画像形成装置３は、用紙に画像を形成する。画像形成装置３は、例えば、複合機である。なお、画像形成装置３は、複写機、印刷機、又はファクシミリ機であってもよい。複合機は、例えば、コピー機能、プリンター機能、及びファクシミリ機能のうち少なくとも２つの機能を有する。
【００１３】
携帯端末２は、ユーザーが携帯し得る。携帯端末２は、撮像部２１と、操作表示部２２（操作部）と、制御部２３と、送受信部２４と、検出部２５とを有する。携帯端末２は、例えば、スマートフォンを含む携帯電話、タブレットパソコン、又はノートパソコンである。
【００１４】
撮像部２１は、用紙に形成された画像を撮像して撮像画像を示す撮像データを生成する。撮像部２１は、撮像画像として動画を撮像する。撮像部２１は、例えば、カメラを有して構成される。
【００１５】
操作表示部２２は、撮像画像を表示する。操作表示部２２は、ディスプレーから構成される。操作表示部２２は、ユーザーの操作に応じた操作信号を制御部２３に出力する。ディスプレーは、タッチパネル機能を有するＬＣＤ（Ｌｉｑｕｉｄ  Ｃｒｙｓｔａｌ  Ｄｉｓｐｌａｙ）を含む。
【００１６】
検出部２５は、照度、気温及び湿度のうち少なくとも１つを検出する。本実施形態において、検出部２５は、照度、気温及び湿度を検出する。検出部２５は、検出した照度、検出した気温及び検出した湿度の各々を示す検出情報を生成する。検出部２５は、例えば、照度計、気温計及び湿度計から構成される。
【００１７】
送受信部２４は、ネットワークＮを介して画像形成装置３と各種のデータの送受信を行う。送受信部２４は、例えば、撮像データと、検出情報とを画像形成装置３に送信する。
【００１８】
制御部２３は、例えば、ＣＰＵ（Ｃｅｎｔｒａｌ  Ｐｒｏｃｅｓｓｉｎｇ  Ｕｎｉｔ）のようなプロセッサーを備える。制御部２３は、例えば、携帯端末２が備える所定の記憶部に予め記憶されたコンピュータープログラムに基づいて、操作表示部２２と、送受信部２４とを制御する。
【００１９】
次に、図１及び図２を参照して画像形成装置３について更に説明する。図２は、本発明の実施形態に係る画像形成装置３を示す。図２に示すように、画像形成装置３は、本実施形態において、インクジェット式であり、インクを用いて用紙Ｓに画像を形成する。
【００２０】
画像形成装置３は、筐体３ａと、給紙部４と、画像形成部５と、排出部６と、制御部７と、送受信部８と、記憶部９とを有する。筐体３ａは、給紙部４と、画像形成部５と、制御部７と、送受信部８と、記憶部９とを内部に収容する。
【００２１】
用紙Ｓは、本発明の記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００２２】
給紙部４は、給紙カセット４１を有する。給紙カセット４１は、例えば、筐体３ａの下部に配置される。給紙カセット４１は、筐体３ａに対して着脱自在に構成される。給紙カセット４１内には、複数の用紙Ｓが重ねられた状態で収納され得る。
【００２３】
画像形成部５は、複数種類のインクを用いて用紙Ｓに画像を形成する。複数種類のインクは、例えば、通常インクと、特殊インクとを含む。通常インクは、例えば、イエロー色のインクと、マゼンタ色のインクと、シアン色のインクと、ブラック色のインクとを含む。
【００２４】
特殊インクは、紫外光インクと、匂いインクとを含む。紫外光インクは、本実施形態において、グリーン色のインクと、イエロー色のインクとを含む。紫外光インクは、例えば、用紙Ｓに吐出された後に、太陽光のような紫外光を含む光を受光して発色する。紫外光インクは、光の照度と受光時間とに応じて発色する。なお、紫外光インクは、光を受光しない場合に無色である。
【００２５】
匂いインクは、無色である。匂いインクは、例えば、用紙Ｓに吐出された後に、周囲に花の香りを放出する。匂いインクは、気温及び湿度に応じて、時間の経過とともに周囲に放出する香りが弱くなる。なお、紫外光インクの色の種類、及び匂いインクの香りの種類は、ユーザーによって予め設定される。通常インク、紫外光インク、及び匂いインクの各々は、画像形成装置３が備える所定のインクタンクに充填される。
【００２６】
画像形成部５は、例えば、通常ヘッド部５１と、紫外光ヘッド部５２と、匂いヘッド部５３とを有する。通常ヘッド部５１は、イエロー色のインクを吐出する記録ヘッド５１ｙと、シアン色のインクを吐出する記録ヘッド５１ｃと、マゼンタ色のインクを吐出する記録ヘッド５１ｍと、ブラック色のインクを吐出する記録ヘッド５１ｋとを有する。なお、各記録ヘッド５１ｙ、５１ｃ、５１ｍ、５１ｋの各々は、例えば、ラインヘッド又はシリアルヘッドである。
【００２７】
紫外光ヘッド部５２は、本実施形態において、イエロー色の紫外光インクを吐出する記録ヘッド５２ｙと、グリーン色の紫外光インクを吐出する記録ヘッド５２ｇとを有する。各記録ヘッド５２ｙ、５２ｇの各々は、例えば、ラインヘッド又はシリアルヘッドである。なお、紫外光ヘッド部５２は、他の色の紫外光インクを吐出する記録ヘッドを更に有してもよい。
【００２８】
匂いヘッド部５３は、本実施形態において、花の香りを放出する匂いインクを吐出する記録ヘッド５３ａを有する。記録ヘッド５３ａは、例えば、ラインヘッド又はシリアルヘッドである。なお、匂いヘッド部５３は、他の香りを放出する匂いインクを吐出する記録ヘッドを更に有してもよい。
【００２９】
通常ヘッド部５１、紫外光ヘッド部５２、及び匂いヘッド部５３は、搬送経路Ｌに沿って搬送される用紙Ｓに向かってインクを吐出する。この結果、画像形成部５によって、インクを用いて用紙Ｓに画像が形成される。画像が形成された用紙Ｓは、搬送経路Ｌに沿って排出部６の排出トレイ６１に排出される。なお、排出トレイ６１は、画像が形成された複数の用紙Ｓを載置し得る。
【００３０】
送受信部８は、図１を参照して説明したネットワークＮを介して携帯端末２と各種のデータの送受信を行う。詳しくは、送受信部８は、撮像部２１によって生成された撮像画像のデータと、検出部２５によって生成された検出情報とを携帯端末２から受信する。
【００３１】
記憶部９は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）を有する。ＲＯＭは、例えば、コンピュータープログラムを記憶する。ＲＡＭは、例えば、インク情報を記憶する。インク情報は、照度、気温及び湿度のような環境に応じた特殊インクの経時変化を示す。本実施形態において、インク情報は、照度に応じた紫外光インクの発色の経時変化、及び湿度と温度とに応じた匂いインクの香りの経時変化を示す。
【００３２】
制御部７は、例えば、ＣＰＵ（Ｃｅｎｔｒａｌ  Ｐｒｏｃｅｓｓｉｎｇ  Ｕｎｉｔ）のようなプロセッサーを備える。制御部７は、記憶部９に記憶されたコンピュータープログラムに基づいて、給紙部４と、画像形成部５と、送受信部８とを制御する。
【００３３】
制御部７には、例えば、画像形成装置３の外部のパソコン、又はスキャナーのような入力部から画像データが入力される。制御部７は、画像データに基づいて、用紙Ｓに画像を形成するように、給紙部４と、画像形成部５と、排出部６とを制御する。制御部７は、例えば、画像データが入力された際に、画像データを記憶部９に記憶させる。画像データは、画像形成部５によって用紙Ｓに形成される画像を示す。画像データは、画像形成部５が用紙Ｓに画像を形成する際に用いるインクを示す情報を含む。
【００３４】
制御部７は、本実施形態において、本発明の処理装置の一例である。制御部７は、画像データと、検出情報と、撮像データと、インク情報とに基づいて、経時画像を示す経時データを生成する。経時画像は、用紙Ｓに形成された画像の経時変化を示す。
【００３５】
制御部７は、携帯端末２から撮像データを受信した後に、記憶部９が記憶する複数の画像データから、撮像データが示す撮像画像と略一致する画像を示す画像データを判定する。制御部７は、撮像画像と略一致する画像を示すと判定された画像データを記憶部９から取得する。制御部７は、例えば、画像データが示す画像と、撮像画像とのパターンマッチングによって、撮像画像と画像データが示す画像とが略一致するか否かを判定する。
【００３６】
制御部７は、取得した画像データに基づいて、用紙Ｓに画像を形成する際に用いたインクを特定する。制御部７は、特定したインクのインク情報と検出情報と画像データとに基づいて経時データを生成する。制御部７は、生成した経時データを携帯端末２に送信するように送受信部８を制御する。なお、経時画像において、通常インクを用いた部分は無色で示される。
【００３７】
図１を参照して説明した制御部２３は、送受信部２４を介して画像形成装置３から経時データを取得する。制御部２３は、撮像データと経時データとに基づいて、撮像画像上に経時画像を重ねて表示するように操作表示部２２を制御する。この結果、操作表示部２２は、撮像画像と経時画像とを有する表示画像を表示する。本実施形態の画像形成システム１では、ユーザーは、経時画像を視認することによって、用紙Ｓに形成された画像の現在の環境下における経時変化を容易に確認することができる。
【００３８】
次に、図１から図３を参照して、携帯端末２の操作表示部２２に表示される表示画像Ｐについて説明する。図３（ａ）から図３（ｄ）は、操作表示部２２に表示される表示画像Ｐの一例を示す。
【００３９】
図３（ａ）に示すように、表示画像Ｐは、経時画像Ｐ１と、撮像画像Ｐ２と、第１補助画像Ｐ３と、第２補助画像Ｐ４とを有する。図３（ａ）に示す経時画像Ｐ１は、用紙Ｓに画像が形成された後に、例えば１時間が経過した状態の用紙Ｓに形成された画像を示す。
【００４０】
経時画像Ｐ１は、本実施形態において、茎Ｐ１１と、後述する花弁Ｐ１２と、香り強度枠Ｐ１３とを含む。茎Ｐ１１は、グリーン色の紫外光インクを用いて用紙Ｓに形成される。
【００４１】
香り強度枠Ｐ１３は、匂いインクの付着位置と匂いインクの香りの強度とを示す。香り強度枠Ｐ１３は、例えば、視認可能な鎖線で示される。香り強度枠Ｐ１３は、例えば、用紙Ｓの香り領域の中心と同心に配される。用紙Ｓの香り領域には、匂いインクが付着する。香り強度枠Ｐ１３は、時間の経過に伴って小さくなり、匂いインクの香りが弱くなることを示す。
【００４２】
撮像画像Ｐ２は、本実施形態において、用紙Ｓに画像が形成された直後に撮像部２１によって撮像された画像である。したがって、撮像画像Ｐ２において、紫外光インクで形成された茎Ｐ１１及び花弁Ｐ１２は無色である。撮像画像Ｐ２は、用紙Ｓに通常インクで形成された文字列Ｐ２１を示す画像である。
【００４３】
第１補助画像Ｐ３は、用紙Ｓに画像が形成されてから紫外光インクが完全に発色するまでの時間を示す。用紙Ｓに画像が形成されてから紫外光インクが完全に発色するまでの時間は、制御部７によって、例えば、検出情報とインク情報とに基づいて算出される。
【００４４】
第２補助画像Ｐ４は、用紙Ｓに形成された画像が撮像されてから紫外光インクが完全に発色するまでの時間を示す。用紙Ｓに形成された画像が撮像されてから紫外光インクが完全に発色するまでの時間は、制御部７によって、例えば、撮像データと検出情報と画像データとインク情報とに基づいて算出される。
【００４５】
経時画像Ｐ１は、撮像画像Ｐ２上に重ねて表示される。本実施形態では、例えば、経時画像Ｐ１において無色で示される文字列と撮像画像Ｐ２の文字列Ｐ２１とが重なるように、経時画像Ｐ１が撮像画像Ｐ２上に重ねて表示される。この結果、撮像画像Ｐ２に対する経時画像Ｐ１の位置ずれが抑制される。
【００４６】
経時画像Ｐ１は、時間の経過とともに図３（ａ）から図３（ｄ）へと変化する動画である。図３（ｂ）に示す経時画像Ｐ１は、用紙Ｓに画像が形成された後に、例えば３時間が経過した状態の用紙Ｓに形成された画像を示す。図３（ｂ）に示すように、経時画像Ｐ１は、図３（ａ）に示す経時画像Ｐ１よりも更に発色した茎Ｐ１１を示す。
【００４７】
図３（ｃ）に示す経時画像Ｐ１は、用紙Ｓに画像が形成された後に、例えば５時間が経過した状態の用紙Ｓに形成された画像を示す。図３（ｃ）に示すように、経時画像Ｐ１は、図３（ｂ）に示す経時画像Ｐ１よりも更に発色した茎Ｐ１１を示す。
【００４８】
図３（ｄ）に示す経時画像Ｐ１は、用紙Ｓに画像が形成された後に、例えば７時間が経過した状態の用紙Ｓに形成された画像を示す。図３（ｄ）に示すように、経時画像Ｐ１は、図３（ｃ）に示す経時画像Ｐ１よりも更に発色して、紫外光インクが完全に発色した茎Ｐ１１を示す。また、経時画像Ｐ１は、紫外光インクが完全に発色した花弁Ｐ１２を示す。花弁Ｐ１２は、イエロー色の紫外光インクを用いて用紙Ｓに形成された部分である。
【００４９】
図３（ａ）から図３（ｄ）に示すように、経時画像Ｐ１は動画であり、制御部２３は、操作信号に基づいて、経時画像Ｐ１の再生、及び経時画像Ｐ１の頭出しをするように操作表示部２２を制御する。この結果、ユーザーは、現在の環境下において所定の時間を費やして、用紙Ｓに形成された画像の経時変化を観察することなく、用紙Ｓに形成された画像の経時変化を容易に確認することができる。なお、制御部２３は、例えば、倍速再生、早送り、及び巻き戻し再生のような表示方法で経時画像Ｐ１を表示するように操作表示部２２を制御してもよい。
【００５０】
次に、図１、図２、及び図４を参照して、経時画像Ｐ１の表示処理について説明する。図４は、制御部２３による経時画像Ｐ１の表示処理を示すフローチャートである。制御部２３は、例えば、経時画像Ｐ１の表示を求める操作信号に応じて、経時画像Ｐ１の表示処理を開始する。
【００５１】
制御部２３は、ステップＳ１０において、操作信号が入力されると、ステップＳ２０において、撮像データと検出情報とを画像形成装置３に送信するように送受信部２４を制御する。制御部２３は、撮像データと検出情報とを送信した後に、ステップＳ３０において、経時データを受信するように送受信部２４を制御する。
【００５２】
制御部２３は、経時データを受信した後に、ステップＳ４０において、撮像画像Ｐ２上に経時画像Ｐ１を重ねて表示するように操作表示部２２を制御する。制御部２３は、撮像画像Ｐ２に重ねて経時画像Ｐ１を表示させた後に、ステップＳ５０において、経時画像Ｐ１の表示の終了を示す操作信号が入力されたか否かを判定する。
【００５３】
制御部２３は、終了を示す操作信号が入力されずに（ステップＳ５０のＮｏ）、経時画像Ｐ１の表示の変更を示す操作信号が入力された場合に、ステップＳ６０において、操作信号に基づいて、例えば、経時画像Ｐ１の再生及び経時画像Ｐ１の頭出しを行うように操作表示部２２を制御する。この結果、ユーザーは、経時画像Ｐ１を見て、用紙Ｓに形成された画像の経時変化を容易に確認することができる。
【００５４】
制御部２３は、終了を示す操作信号が入力された場合に（ステップＳ５０のＹｅｓ）、経時画像Ｐ１の表示処理を終了する。
【００５５】
次に、図１、図２、及び図５を参照して、経時データの生成処理について説明する。図５は、制御部７による経時データの生成処理を示すフローチャートである。制御部７は、携帯端末２から撮像データ及び検出情報を受信した際に、経時データの生成処理を開始する。
【００５６】
制御部７は、ステップＳ１００において、撮像データ及び検出情報を受信すると、ステップＳ１１０において、撮像画像Ｐ２に略一致する画像を示す画像データを記憶部９から取得する。制御部７は、画像データを取得した後に、ステップＳ１２０において、画像データに基づいて、用紙Ｓに画像を形成する際に用いたインクを特定する。
【００５７】
制御部７は、画像に用いたインクを特定した後に、ステップＳ１３０において、特定したインクに関するインク情報を記憶部９から取得する。制御部７は、インク情報を取得した後に、ステップＳ１４０において、インク情報と検出情報と画像データとに基づいて、用紙Ｓに形成された画像の経時変化を示す経時データを生成する。制御部７は、経時データを生成した後に、ステップＳ１５０において、携帯端末２に経時データを送信するように送受信部８を制御して、経時データの生成処理を終了する。
【００５８】
以上、図１から図５を参照して、本発明の実施形態に係る画像形成システム１について説明した。但し、本発明は、本実施形態に限られるものではなく、その要旨を逸脱しない範囲で種々の態様において実施することが可能である。
【００５９】
例えば、本発明の実施形態では、経時データの生成処理が制御部７によって実施されたが、本発明はこれに限定されない。画像形成システム１は、経時データの生成処理を実施する処理装置を備えればよい。画像形成システム１は、例えば、ネットワークＮを介して携帯端末２及び画像形成装置３と接続された処理装置を更に備えてもよい。処理装置は、例えば、制御部と記憶部とを有する。記憶部は、インク情報を記憶する。制御部は、携帯端末２から撮像データと検出情報とを取得し、画像形成装置３から画像データを取得する。制御部は、撮像データと検出情報と画像データとインク情報とに基づいて、経時データの生成処理を実施する。この結果、画像形成装置３が備える制御部７の負荷を軽減できるとともに、画像形成装置３が備える記憶部９の容量を抑制することができる。
【００６０】
また、本発明の実施形態では、撮像画像Ｐ２の文字列Ｐ２１に経時画像Ｐ１の無色の文字列を重ねて表示するように、操作表示部２２が制御部２３によって制御されていたが、本発明はこれに限定されない。経時画像Ｐ１は、撮像画像Ｐ２上に重ねて表示されればよい。例えば、他の実施形態では、画像形成装置３の制御部７は、紫外光インク及び匂いインクを用いて画像を形成する場合に、用紙Ｓに基準点を含む基準模様を形成するように画像形成部５を制御する。基準点は、撮像画像Ｐ２上に経時画像Ｐ１を重ねて表示させる際の基準となる点である。
【００６１】
制御部７は、基準模様を画像データに関連付けて記憶部９に記憶させる。制御部７は、例えば、基準模様の位置情報を追加して経時データを生成する。この結果、撮像画像Ｐ２が示す基準点と経時画像Ｐ１が示す基準点とが重なるように、操作表示部２２が制御部２３によって制御されて、経時画像Ｐ１が撮像画像Ｐ２上に重ねて表示される。基準模様は、例えば、ＱＲコード（登録商標）又はバーコードである。
【００６２】
また、本発明の実施形態では、制御部７は、画像データが示す画像と撮像画像Ｐ２とが略一致するか否かをパターンマッチングによって判定していたが、本発明はこれに限定されない。制御部７は、撮像画像Ｐ２を形成する際に用いた画像データを記憶部９から取得できればよい。本発明の他の実施形態において、制御部７は、撮像画像Ｐ２が示す基準模様と画像データに関連付けて記憶された基準模様とのマッチングによって、撮像画像Ｐ２を形成する際に用いた画像データを記憶部９から取得してもよい。この結果、制御部７が記憶部９から誤った画像データを取得することが抑制される。
【００６３】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００６４】
本発明は、画像形成装置に関し、特に、複数種類のインクを利用可能なインクジェット式の画像形成装置に利用可能である。
【符号の説明】
【００６５】
１        画像形成システム
２        携帯端末
３        画像形装置
７        制御部（処理装置）
２１      撮像部
２２      操作表示部（操作部）
２３      制御部
２４      送受信部
Ｐ１      経時画像
Ｐ２      撮像画像
Ｓ        用紙
【図１】
2018116392.tif 000003
【図２】
2018116392.tif 000004
【図３】
2018116392.tif 000005
【図４】
2018116392.tif 000006
【図５】
2018116392.tif 000007